(57)【要約】【課題】暖房端末の運転開始スイッチの有無にかかわらず、同一の温水暖房ボイラーとリモコンで対応でき、使い勝手のよい温水暖房ボイラーを提供すること。【解決手段】温水暖房ボイラーと１ａ、前記温水暖房ボイラー１ａの暖房端末と、前記温水暖房ボイラー１ａと暖房端末とは別設に設けたリモコン２とからなり、前記リモコン２は、リモコン２または前記暖房端末の少なくともいずれか一方で運転開始スイッチを入れると、前期温水暖房ボイラー１ａの運転を開始するとともに、どの運転開始スイッチにより運転が開始されたかを区別して表示する表示手段を有する。よって、同一のリモコン２と温水暖房ボイラー１ａで、リモコン２と暖房端末の両方の運転開始スイッチが有効になり、また、どちらの運転開始スイッチがオンされているのか判別でき、使い勝手が良くなるという効果がある。【選択図】  図４
2004183941.tif 000002
【特許請求の範囲】
【請求項１】
温水暖房熱源機と、前記温水暖房熱源機の暖房端末と、リモコンとを備え、前記温水暖房熱源機は前記リモコンまたは前記リモコン外のいずれからも運転開始可能な構成とし、前記リモコンにはリモコンまたはリモコン外のどちらで運転開始されたかを区別して表示する表示手段を設けた温水暖房装置。
【請求項２】
温水暖房熱源機と、前記温水暖房熱源機の暖房端末と、リモコンとを備え、前記暖房端末は運転開始スイッチを有するもの、または有さないものにかかわらず、前記温水暖房熱源機は前記リモコンまたは前記運転開始スイッチを備えた暖房端末のいずれからも運転開始可能な構成とし、前記リモコンにはリモコンまたは前記運転開始スイッチを備えた暖房端末のどちらで運転開始されたかを区別して表示する表示手段を設けた温水暖房装置。
【請求項３】
温水暖房熱源機と、前記温水暖房熱源機を熱源とし、かつ温水暖房熱源機の運転開始スイッチを備えた暖房端末及び運転開始スイッチを持たない暖房端末、または運転開始スイッチを備えた暖房端末、または運転開始スイッチを持たない暖房端末のいずれかの暖房端末と、リモコンとを備え、前記温水暖房熱源機は前記リモコンまたは前記運転開始スイッチを備えた暖房端末のいずれからも運転開始可能な構成とし、前記リモコンにはリモコンまたは前記運転開始スイッチを備えた暖房端末のどちらで運転開始されたかを区別して表示する表示手段を設けた温水暖房装置。
【請求項４】
リモコンは、運転開始時の状態にかかわらず温水暖房熱源機の運転を停止するようにした全停止スイッチを設けた請求項１〜３のいずれか１項記載の温水暖房装置。
【請求項５】
表示手段は、リモコン外で運転開始したことを表示する液晶表示素子または蛍光表示管で構成されたリモコン外運転表示部を設けた請求項１〜４のいずれか１項記載の温水暖房装置。
【請求項６】
表示手段は、運転表示部と温水設定温度表示部とを備え、リモコンで運転開始された場合は運転表示部と温水設定温度表示部の両方を表示し、リモコン外で運転開始された場合は温水設定温度表示部のみ表示する構成とした請求項１〜５のいずれか１項記載の温水暖房装置。
【発明の詳細な説明】
【０００１】
【発明の属する技術分野】
本発明は、温水暖房装置に関するものである。
【０００２】
【従来の技術】
従来、寒冷地では、石油を燃料とし、家全体を暖房するセントラルヒーティングの熱源機として温水暖房ボイラーが用いられてきた。このようなシステムでは、２４時間暖房するため、各部屋で温水暖房装置のオン・オフを行う必要はなく、リモコンでのみ運転のオン・オフを行っていた。よって、温水暖房ボイラーとリモコンが一対一の関係にあった。
【０００３】
近年、温水暖房ボイラーの快適性が認知され、寒冷地以外でも温水暖房ボイラーが普及してきた。寒冷地以外では、２４時間暖房する必要が無く、使用する部屋をその都度暖房すればよい。従来では、温水暖房ボイラーと室内機（暖房端末を室内機と呼ぶ）を通信線で接続し、各部屋で運転のオン・オフができるものが普及している（例えば、特許文献１参照）。特に、ガスを燃料とした温水暖房ボイラーでは、Ｅ−ＣＯＮ仕様として標準化されている。しかし、この温水暖房ボイラーでは、室内機には運転のオン・オフスイッチが必要であるとともに、温水暖房ボイラーとの間に通信線を設置する必要がある。また、特許文献１によれば、暖房集中制御リモコンにより、各部屋の室内機のオン・オフや全部屋の一斉オン・オフができるものが考えられている。
【０００４】
さらに、寒冷地においても、住宅の高気密・高断熱化の向上により、２４時間暖房する必要が無くなってきている。省エネのためにも、運転をこまめにオン・オフできることが望ましい。よって、石油を燃料とする温水暖房ボイラーでも、ガス熱源と同様のＥ−ＣＯＮ仕様の要望が多い。しかしながら、室内機には、床暖房やパネルラジエーターなど、運転スイッチを持たないものもあり、温水暖房ボイラーのリモコンが必要な場合も多い。
【０００５】
【特許文献１】
特開平１１−１４８６５８号公報
【０００６】
【発明が解決しようとする課題】
しかしながら上記従来の温水暖房ボイラーでは、室内機に運転スイッチを有する場合と、室内機に運転スイッチを持たない場合で、異なるシステムを構成しなければいけないという課題があった。
【０００７】
具体的には、室内機に運転スイッチを有し、室内機側で運転のオン・オフを行いたい場合は、すべての室内機を運転スイッチ付きにし、室内機と温水暖房ボイラーを通信線で接続する必要がある。また、室内機に運転スイッチを持たない場合は、リモコンが必要になっていた。さらに、室内機に運転スイッチを持つものと、持たないものが混在する場合、リモコンで運転のオン・オフを行うのか、室内機で運転のオン・オフを行うのかを選択しなければいけなかった。
【０００８】
よって、温水暖房ボイラーを製造、販売、施工する場面で、２種類のシステムに対応できるように準備しなければならなかった。
【０００９】
本発明は、前記課題を解決するもので、室内機側に運転開始スイッチを持つ、持たないに関わらず、同一の温水暖房ボイラーとリモコンで対応し、使い勝手の良い温水暖房ボイラーを提供することを目的とする。
【００１０】
【課題を解決するための手段】
本発明は上記課題を解決するため、本発明の温水暖房装置は、温水暖房熱源機と、前記温水暖房熱源機の暖房端末と、前記温水暖房熱源機と前記暖房端末とは別に設けたリモコンを備え、前記温水暖房熱源機は前記リモコンまたは前記リモコン外のいずれからも運転開始する構成とし、前記リモコンにはリモコンまたはリモコン外のどちらで運転開始されたかを区別して表示する表示手段を設けた。これによって、１機種の温水暖房熱源機とリモコンの組み合わせで、リモコン外に運転開始スイッチが有る場合、無い場合の両方に対応して、温水暖房熱源機の運転開始操作がリモコンでもリモコン外でも可能となり、停止時には、リモコンに区別して表示されるので、それに応じて停止させることができる。
【００１１】
【発明の実施の形態】
請求項１に記載の発明は、温水暖房熱源機と、前記温水暖房熱源機の暖房端末と、リモコンとを備え、前記温水暖房熱源機は前記リモコンまたは前記リモコン外のいずれからも運転開始可能な構成とし、前記リモコンにはリモコンまたはリモコン外のどちらで運転開始されたかを区別して表示する表示手段を設けた。よって、リモコンと、リモコン外のどちらでも運転開始することが出来、運転開始状態を区別してリモコン表示するので、これを確認すれば、停止する場合にリモコンもしくはリモコン外どちらを操作すればよいのか区別することができる。
【００１２】
請求項２に記載の発明は、温水暖房熱源機と、前記温水暖房熱源機の暖房端末と、リモコンとを備え、前記暖房端末は運転開始スイッチを有するもの、または有さないものにかかわらず、前記温水暖房熱源機は前記リモコンまたは前記運転開始スイッチを備えた暖房端末のいずれからも運転開始可能な構成とし、前記リモコンにはリモコンまたは前記運転開始スイッチを備えた暖房端末のどちらで運転開始されたかを区別して表示する表示手段を設けた。よって、暖房端末に運転開始スイッチが有る場合、ない場合のどちらの機種にも対応した制御が可能となる。また、運転開始状態を区別して表示するので、停止する場合にリモコンもしくは暖房端末のどちらを操作すればよいのか表示で区別することができる。
【００１３】
請求項３に記載乃発明は、温水暖房熱源機と、前記温水暖房熱源機を熱源とし、かつ温水暖房熱源機の運転開始スイッチを備えた暖房端末及び運転開始スイッチを持たない暖房端末、または運転開始スイッチを備えた暖房端末、または運転開始スイッチを持たない暖房端末のいずれかの暖房端末と、リモコンとを備え、前記温水暖房熱源機は前記リモコンまたは前記運転開始スイッチを備えた暖房端末のいずれからも運転開始可能な構成とし、前記リモコンにはリモコンまたは前記運転開始スイッチを備えた暖房端末のどちらで運転開始されたかを区別して表示する表示手段を設けた。よって、暖房端末に運転開始スイッチが有る場合、ない場合のどちらの機種にも対応して、どのような暖房端末の組み合わせに対しても制御が可能となる。また、運転開始状態を区別して表示するので、停止する場合にリモコンもしくは暖房端末のどちらを操作すればよいのか表示で区別することができる。
【００１４】
請求項４に記載の発明は、リモコンに、運転開始時の状態にかかわらず温水暖房熱源機の運転を停止するようにした全停止スイッチを設けた。そして、リモコンの全停止スイッチが押されると、運転開始が行われた状態に関わらず、全端末と温水暖房熱源機の運転が停止する。よって、暖房端末からの片方向送信のみの、Ｅ−ＣＯＮ仕様にも対応することができる。
【００１５】
請求項５に記載の発明は、表示手段に、リモコン外で運転開始したことを表示する液晶表示素子または蛍光表示管で構成されたリモコン外運転表示部を設けた。そして、リモコン外で運転開始すると、リモコン外運転表示部の表示により一目でわかり、使い勝手がよい。また、リモコン外に運転開始スイッチをもたない場合は、リモコン外運転表示部の表示をしない構成とすることができる。よって、不必要な表示はなくして使用者の混乱を防ぐことができる。
【００１６】
請求項６に記載の発明は、表示手段に、運転表示部と温水設定温度表示部とを備え、リモコンで運転開始された場合は運転表示部と温水設定温度表示部の両方を表示し、リモコン外で運転開始された場合は温水設定温度表示部のみ表示する構成とした。よって、それぞれの専用の表示素子を設けることなく、表示する情報を増やすことなく、容易に運転開始がどこで行われたのかを区別することが可能となる。
【００１７】
【実施例】
以下、本発明の実施例について図面を用いて説明する。
【００１８】
（実施例１）
図１は本発明の実施例１の温水暖房ボイラーを使用したシステム図、図２は温水暖房ボイラーのリモコンの外観図、図３は温水暖房ボイラーのリモコンの液晶表示素子の外観図、図４は温水暖房ボイラーの動作を示すフローチャートである。
【００１９】
まず、図１において、１ａは温水暖房ボイラー、１ｂは制御手段、２はリモコン、３は室内機Ａで運転スイッチを持つファンコンベクター、４は室内機Ｂで運転スイッチを持つファンコンベクター、５は室内機Ｃで運転スイッチを持たない床暖パネル、６は室内機Ｄで運転スイッチを持たないパネルラジエーター、３４は室内機Ａ３や室内機Ｂ４の運転スイッチオン・オフ状態を受信するだけの片方向通信手段である。リモコン２と制御手段１ｂは通信線で接続されている。また、室内機Ａ３、室内機Ｂ４は、片方向通信手段３４を介して制御手段１ｂと通信線で接続されている。室内機Ｃ５と室内機Ｄ６は、制御手段１ｂとは通信線で接続されていない。図１には示していないが、温水暖房ボイラー１ａと室内機Ａ３、室内機Ｂ４、室内機Ｃ５、室内機Ｄ６は、温水配管で接続されている。
【００２０】
図２、図３において、７はリモコン２の運転スイッチ、８は運転ランプ、９は温水設定温度表示部、１０は室内機で運転スイッチがオンされていることを表示する室内機運転表示素子である。室内機運転表示素子１０は、液晶表示素子で構成している。
【００２１】
次に図４を用い、動作、作用について説明する。まず、Ｓ１１でリモコン２の運転スイッチ７を判定する。運転スイッチがオフならば、Ｓ１２へ進み、リモコン２の運転ランプ８を消灯する。次にＳ１３で室内機の運転スイッチを判断する。複数の室内機が接続されている場合はそれらの運転スイッチの論理和を判断結果とする。すべての室内機の運転スイッチがオフならばＳ１４へ進む。Ｓ１４では室内機運転表示素子１０を消灯させる。続いてＳ１５で温水設定温度表示９を消灯させる。Ｓ１６では運転を停止させる。
【００２２】
Ｓ１３の判断で室内機の運転スイッチがオンの場合、Ｓ１７へ進み室内機運転表示素子１０を点灯させる。続いてＳ１８へ進み温水設定温度表示９を点灯させる。Ｓ１９では運転を開始する。
【００２３】
Ｓ１１の判断でリモコン２の運転スイッチ７がオンの場合、Ｓ２０へ進みリモコンの運転ランプ８を点灯させる。Ｓ２１へ進み室内機の運転スイッチを判断する。複数の室内機が接続されている場合は、それらの運転スイッチの論理和を判断結果とする。すべての室内機の運転スイッチがオフならばＳ２２へ進む。Ｓ２２では室内機運転表示素子１０を消灯させる。続いてＳ１８で温水設定温度表示９を点灯させる。Ｓ１９では運転を開始させる。
【００２４】
Ｓ２１の判断で室内機の運転スイッチがオンの場合、Ｓ２３へ進み室内機運転表示素子１０を点灯させる。続いてＳ１８へ進み、温水設定温度表示９を点灯させる。Ｓ１９では運転を開始する。
【００２５】
以上のように、図４のフローチャートによれば、リモコン２の運転スイッチ７と室内機の運転スイッチの論理和で運転が行われる。図１のような運転スイッチを持つ室内機が２台の場合の運転に関する真理値表を（表１）に記す。
【００２６】
【表１】
2004183941.tif 000003
【００２７】
このように、実施例１によればリモコン２でも室内機Ａ３や室内機Ｂ４の運転スイッチでも温水暖房ボイラー１ａの運転を開始させることができ、大変使いやすいものである。
【００２８】
また、室内機で運転スイッチをオンした場合には、リモコン２の室内機運転表示素子１０が点灯するので、リモコン２の運転スイッチ７では運転を停止ができないことが一目で分かるので、使い勝手がよい。
【００２９】
また、室内機表示素子１０は液晶表示素子で構成しているので、消灯しているときは、文字が見えない。このことは、次の効果をもたらす。運転スイッチを持たない室内機だけでシステムを構成した場合、室内機運転表示は、使用者にとって不要な表示である。もし、室内機運転表示素子が運転ランプ８のように、ＬＥＤで構成されていたならば、ランプの近傍のリモコン銘板上に、「室内機運転」という表示を行わなければならない。使用者は、このランプが気になるかもしれない。液晶表示素子を使えば、点灯させなければ、使用者に気付かれることはない。よって、使用者に無用な気遣いをさせることはない。また、製造者にとっても、室内機運転表示素子１０があるものとないものの２種類のリモコンを作らずに、１種類のリモコンで対応できるメリットがある。
【００３０】
（実施例２）
図５は本発明の実施例２の温水暖房ボイラーのリモコンの外観図である。図５において、２４は運転ランプ、２５は温水設定温度表示、２６は運転スイッチである。運転ランプ２４は、ＬＥＤで構成されている。温水設定温度表示２５は、２桁の７セグメントＬＥＤで構成している。本実施例２において、実施例１と異なる点は、室内機運転表示素子１０がないことである。
【００３１】
次に動作、作用を説明すると、室内機運転表示素子１０を持たないので、図１のフローチャートの１４、１７、２２、２３が省略された動作となる。図４のような運転スイッチを持つ室内機が２台の場合の、運転に関する真理値表を（表２）に記す。
【００３２】
【表２】
2004183941.tif 000004
【００３３】
このように、実施例２によれば室内機で運転スイッチがオンされたかどうかは、リモコン２の運転ランプ２４と温水設定温度表示２５の点灯・消灯の組み合わせで判断することができる。すなわち、運転ランプ２４が消灯していて温水設定温度表示２５が点灯している場合は、室内機の運転スイッチがオンされているということである。
【００３４】
唯一、リモコン２の運転スイッチ２６がオンで、室内機の運転スイッチもオンの場合、リモコン２の運転スイッチ２６がオンされていることは分かるが、室内機の運転スイッチがオンなのかオフなのかが判別できない。判別が必要なのは、運転を停止させたい場合である。この場合は、まずリモコン２の運転スイッチ２６をオフにする。すると、運転ランプ２４が消灯し、温水設定温度表示２５が点灯したままとなる。この時点で、室内機の運転スイッチがオンされていることが判断できる。そこで、室内機の運転スイッチをオフすればよい。
【００３５】
このように、実施例２は使用上十分な使い勝手を実現できる。実施例２では室内機運転表示素子１０を持たない分安価に構成できる。実施例１では表示素子として液晶表示素子を使用していたが、実施例２ではＬＥＤでも構成できる。
【００３６】
また、実施例１と同じように、室内機の運転スイッチのオン・オフを判別したい使用者と、運転スイッチをもたない室内機を使用している使用者のどちらに対しても、同一のリモコンを提供できる。
【００３７】
（実施例３）
図６は本発明の実施例３の動作を示すフローチャート、図７はリモコンの外観図である。図７において、２７は運転スイッチ、２８は運転ランプ、２９は全停止スイッチ、３０は室内機運転表示素子、３１は温水設定温度表示である。本実施例３において、実施例１と異なる点は、リモコン２に全停止スイッチ２９が追加されていることである。
【００３８】
次に動作、作用を説明すると、図６において、実施例１の図４と同じ記号のものは、同じ動作である。追加されているのは、Ｓ１９で運転開始後、Ｓ３２で全停止スイッチ２９の操作を判断しているところである。全停止スイッチ２９の操作が無ければ、運転を続ける。全停止スイッチ２９の操作があれば、Ｓ３３に進みリモコンの運転ランプを消灯し、続いてＳ１５で温水設定温度表示を消灯し、Ｓ１６で運転を停止させる。運転開始条件と運転中の表示、全停止スイッチ２９操作後の表示の真理値表を、（表３）に示す。
【００３９】
【表３】
2004183941.tif 000005
【００４０】
（表３）の通り、全停止スイッチ３２を操作すれば、運転停止と共に、温水設定温度表示が消灯する。よって、使用者は、運転が停止したことを確認できる。但し、室内機の運転スイッチがオンの場合は、室内機の運転スイッチはオンのままである。よって、室内機運転表示は点灯したままである。リモコン２の全停止スイッチ２９で温水暖房ボイラーの運転は停止しても、室内機の運転スイッチがオンのままではダメではないかと危惧されるかもしれないが、以下の理由により問題はない。一般的に、ファンコンベクター等の室内機では、温水暖房ボイラーの運転開始時など、温水温度が暖房に適さない低温であった場合、ファンの運転を自動的に停止させる機能（冷風防止機能と呼ばれる）を持っている。よって、室内機の運転スイッチがオンのままでも、温水暖房ボイラーが停止すれば、温水温度が低下し、室内機の実質的な動作が停止するので、なんら問題はない。
【００４１】
また、全停止スイッチ２９で停止させた後に、再度運転を開始させたい場合は、下記の方法がある。
【００４２】
リモコン２の運転スイッチ２７をオンさせる。または、室内機運転表示素子３０が消灯している場合は、室内機の運転スイッチをオンする。室内機運転表示素子３０が点灯している場合は、室内機の運転スイッチを一度オフしてからオンする。
【００４３】
このように、室内機の運転スイッチで運転を開始させた場合でも、全停止スイッチ２９で、温水暖房ボイラーの運転を停止させることができる。よって、使用者にとって、一カ所で運転の停止ができ、外出の際に運転を停止させたい場合なで、大変便利である。また、外出から帰ってきた場合は、リモコン２の運転スイッチ２７をオンするだけでよいので大変便利である。
【００４４】
なお、前記各実施例において室内機は、運転スイッチをもつファンコンベクタ２台と運転スイッチを持たない床暖パネル、運転スイッチを持たないパネルラジエーターとしたが、台数やその種類を制限するものではない。また、運転スイッチを持つ室内機でも、温水暖房ボイラーと通信線で接続されない場合もあるが、発明の効果は変わらない。
【００４５】
なお、実施例２で運転ランプ、温水設定温度表示は、ＬＥＤで構成したが、表示素子であれば、何を使用してもよいのは言うまでもない。
【００４６】
【発明の効果】
以上のように、請求項１〜５記載の発明によれば、運転スイッチを持つ室内機と運転スイッチを持たない室内機の双方に対応でき、それぞれの室内機が混在した温水暖房システムを構成した場合でも、同一のリモコン付き温水暖房ボイラーで対応できるという効果がある。
【図面の簡単な説明】
【図１】本発明の実施例１における温水暖房ボイラーを使用したシステム図
【図２】同実施例１における温水暖房ボイラーのリモコンの外観図
【図３】同実施例１における温水暖房ボイラーのリモコンの液晶表示素子の外観図
【図４】同実施例１における温水暖房ボイラーのフローチャート
【図５】本発明の実施例２における温水暖房ボイラーのリモコンの外観図
【図６】本発明の実施例３における温水暖房ボイラーのフローチャート
【図７】同実施例３における温水暖房ボイラーのリモコンの外観図
【符号の説明】
１ａ  温水暖房ボイラー
１ｂ  制御手段
２  リモコン
９  温水設定温度表示
１０、３０  室内機運転表示素子
２９  全停止スイッチ
３４  片方向通信手段
【図１】
2004183941.tif 000006
【図２】
2004183941.tif 000007
【図３】
2004183941.tif 000008
【図４】
2004183941.tif 000009
【図５】
2004183941.tif 000010
【図６】
2004183941.tif 000011
【図７】
2004183941.tif 000012